(57)【要約】【課題】液晶表示装置における液晶の応答速度を改善した結果、ノイズが目立ちやすくなるという不具合を解消する。【解決手段】入力映像信号と１フィールド前の入力映像信号との差分を求める回路と、差分に応じて複数の係数のいずれかを選択し、当該差分に当該選択された係数を乗算して第１の補正量を求める回路と、入力映像信号のノイズを検出するノイズ検出部と、ノイズ検出部の出力と第１の補正量を乗算して第２の補正量を求める回路と、入力映像信号に第２の補正量を加算して補正映像信号を求める回路と、補正映像信号に基づいて画像を表示する回路で構成する液晶表示装置。【選択図】  図１
2004246118.tif 000002
【特許請求の範囲】
【請求項１】
入力映像信号に基づいて画像表示する液晶表示装置であって、前記入力映像信号と１フィールド前の入力映像信号との差分を求める手段と、前記差分に応じて複数の係数のいずれかを選択し、当該差分に当該選択された係数を乗算して第１の補正量を求める手段と、前記入力映像信号のノイズを検出するノイズ検出手段と、前記ノイズ検出手段の出力と前記第１の補正量を乗算して第２の補正量を求める手段と、前記入力映像信号に前記第２の補正量を加算して補正映像信号を求める手段と、前記補正映像信号に基づいて画像を表示する手段とを備える液晶表示装置。
【請求項２】
ノイズ検出手段は入力信号の垂直帰線期間のノイズ量を算出するノイズ算出手段と、前記ノイズ算出手段の出力から第１の補正量を制限する信号に変換する変換テーブルとを含む、請求項１記載の液晶表示装置。
【請求項３】
ノイズ検出手段はノイズ量が多いとき、第１の補正量を少なくするように動作することを特徴とする、請求項１記載の液晶表示装置。
【請求項４】
入力映像信号に基づいて画像表示する液晶表示装置であって、少なくとも２つの入力映像信号を合成する多画面合成手段と、前記多画面合成手段の出力の１フィールド前の入力映像信号との差分を求める手段と、前記差分に応じて複数の係数のいずれかを選択し、当該差分に当該選択された係数を乗算して第１の補正量を求める手段と、前記入力映像信号のノイズを検出する多画面ノイズ検出手段と、前記多画面ノイズ検出手段の出力と前記第１の補正量を乗算して第２の補正量を求める手段と、前記多画面合成手段の出力に前記第２の補正量を加算して補正映像信号を求める手段と、前記補正映像信号に基づいて画像を表示する手段とを備える液晶表示装置。
【請求項５】
多画面ノイズ検出手段は少なくとも２つの入力信号の垂直帰線期間のノイズ量を算出するノイズ算出手段と、前記少なくとも２つのノイズ算出手段の出力を第１の補正量を制限する信号に変換する少なくとも２つの変換テーブルと、表示用の水平、垂直同期信号の発生と表示用クロック発生を行う表示用同期クロック発生手段と、前記表示用同期クロック発生手段の出力から、多画面の表示領域を示す信号を出力する画面切り替え信号発生手段と、前記画面切り替え信号発生手段の出力に応じて、前記少なくとも２つの変換テーブルの出力を切り替えるセレクタを含む、請求項４記載の液晶表示装置。
【請求項６】
多画面ノイズ検出手段は少なくとも２つのノイズ量を算出し、各々の表示領域でノイズ量が多いとき、第１の補正量を少なくするように動作することを特徴とする請求項４記載の液晶表示装置。
【請求項７】
前記補正量を求めるステップは、２つの係数を記憶するステップと、前記記憶した２つの係数のいずれかを前記差分の符号に応じて選択するステップと、前記選択された係数を前記差分に乗算するステップとを含む、請求項６記載の液晶表示方法。
【発明の詳細な説明】
【０００１】
【発明の属する技術分野】
本発明は、液晶表示装置に関し、より特定的には、入力映像信号に基づいて画像表示する液晶表示装置に関する。
【０００２】
【従来の技術】
近年、液晶ディスプレイは大型化・高精細化の発展が著しく、それにともない、用途はパソコン用ディスプレイとして静止画像を表示するだけでなく、動画像までも表示するように広がってきた。従来、液晶ディスプレイに動画像を表示する際は、液晶材料の透過率の応答が表示信号の変化に比べ遅いことに起因して、尾ひきなどの画質劣化が生じるという課題があった。特に、広視野角特性を特徴とする面内スイッチ型（以下、ＩＰＳと称す）液晶は、応答に要する時間（以下、応答時間と称す）が長いことが顕著である。
【０００３】
そこで、上記課題を解決するための液晶表示装置として、特開２００１−３３１１５４に示されるものがある。以下、図８および図９を参照して、この従来の液晶表示装置について説明する。
【０００４】
図８はこの従来の液晶表示装置の構成を示すブロック図である。図８において、従来の液晶表示装置は、フィールドメモリ１０と、演算部５０と、係数決定部５１と、オーバーフロー補正部１２と、駆動部１３と、液晶パネル１４とを備えている。
【０００５】
以下、図８を参照して、従来の液晶表示装置の動作について説明する。フィールドメモリ１０には、階調データが入力され、１フィールド前の階調データを出力する。演算部５０には、階調データとフィールドメモリ１０の出力との差分値が入力され、この差分値に応じた補正量を出力する。
【０００６】
オーバーフロー補正部１２には、補正量の加算された階調データが入力され、補正量の加算によりオーバーフローが発生した（例えば、階調データの最大値を上回る、または最小値を下回る）場合には入力を補正して出力し、オーバーフローが発生しなかった場合には入力をそのまま出力する。駆動部１３は、オーバーフロー補正手段１２の出力に基づいた印加電圧によって液晶パネル１４を駆動する。液晶パネル１４は、駆動部１３の制御に基づいて画像を表示する。
次に、演算部５０の構成および動作について、より詳細に説明する。図５は、従来例における演算部５０の構成を示すブロック図である。図５において、演算部５０は、係数レジスタ６０と、係数レジスタ６１と、セレクタ２２と、乗算器２３とを有している。以下、演算部５０および係数決定部５１の動作について説明する。
【０００７】
演算部５０には、階調データとフィールドメモリ１０の出力との差分値が、符号付きで入力される。この差分値は、１フィールド前の階調データに対する現在の階調データの増加量を表している。係数レジスタ６０には、階調データ増加時の補正の度合を表す係数Ａが予め格納されており、係数レジスタ６１には、階調データ減少時の補正の度合を表す係数Ｂが予め格納されている。そして、セレクタ２２には、演算部５０入力された例えば９ｂｉｔの差分値から、１ビットの符号ビットだけが取り出されて入力される。そして、セレクタ２２は、この符号ビットの値に応じて、例えば“０”である場合には係数レジスタ６０を選択し、“１“である場合には係数レジスタ６１を選択して、選択した係数レジスタに予め格納されている係数を出力する。乗算器２３は、演算部５０に入力された符号付きの９ｂｉｔの差分値に、セレクタ２２の出力を乗算し、補正量として出力する。
【０００８】
また、係数決定部５１は、補正の度合をユーザに選択させ、このユーザにより選択された補正の度合に対応する２つの係数データを出力する。これら２つの係数データは、演算部５０の係数レジスタ６０および係数レジスタ６１にそれぞれ供給され、係数レジスタ６０および係数レジスタ６１に記憶される係数Ａおよび係数Ｂは、係数決定部５１から供給される係数データによって随時更新される。
【０００９】
なお、従来例において、係数決定部５１においてユーザに選択させる補正の度合は、例えば、補正の度合を５段階の中から選択させても構わないし、係数レジスタ６０および係数レジスタ６１に設定する係数そのものをユーザに入力させても構わない。また、係数決定部５１において、補正の度合に対応して出力する係数データは、例えば、補正の度合に基づいてデータテーブルを参照して出力しても構わないし、演算により算出して出力しても構わない。
【００１０】
ここで、係数Ａおよび係数Ｂについて説明する。上記のように、係数Ａは、符号ビットが“０”であるとき、つまり差分値が正であるときに差分値に乗算され、この結果が、補正量として階調データに加算される。つまり係数Ａは、階調データの増加時に、その増加量の何倍の補正量を階調データに上乗せして補正するかを表す係数である。したがって、係数Ａを０に設定すれば補正はされず、０．５に設定すれば階調データの増加量の半分の補正量が階調データに上乗せされ、１．０に設定すれば階調データの増加量に相当する補正量が階調データに上乗せされることになる。
【００１１】
一方、係数Ｂは、符号ビットが“１”であるとき、つまり差分値が負であるときに差分値に乗算され、この結果が、補正量として階調データに加算される。つまり係数Ｂは、階調データの減少時に、その減少量の何倍の補正量を階調データから差し引いて補正するのかを表す係数である。したがって、係数Ｂを０に設定すれば補正はされず、０．５に設定すれば階調データの減少量の半分の補正量が階調データから差し引かれ、１．０に設定すれば階調データの減少量に相当する補正量が階調データから差し引かれることになる。
【００１２】
ここで、階調データの増加時と減少時とで、差分値にそれぞれ異なる係数（係数Ａおよび係数Ｂ）を乗算して補正量を求めるようにしているが、この理由について説明する。液晶パネルでは、液晶に印加する電圧を変化させることにより、液晶分子の配列変化を生じさせ、その結果、液晶の透過率を変化させ、所定の階調表示を行っている。このとき、印加電圧を増加させたときには、印加された電界によって液晶分子の配列変化が生じ、一方、印加電圧を減少させたときには、分子間力によって液晶分子の配列変化が生じる。
【００１３】
ところで、一般に、印加された電界による液晶分子の配列変化の速度は、分子間力による液晶分子の配列変化の速度よりも速くなる。したがって、階調データの増加時（印加電圧の増加時）の応答速度は、階調データの減少時（印加電圧の減少時）の応答速度に比べて速くなる。このように、階調データの増加時と減少時とでは、液晶の応答速度に差があるので、上述のように、それぞれに応じて別々に係数を設定できるのが好ましい。そして一般には上述の理由により、階調データの減少時の係数Ｂを階調データの増加時の係数Ａよりも大きな値に設定するのが好ましい。
【００１４】
なお、液晶パネルには、電圧が印加されていないときに透過率が最大（白表示）となるノーマリホワイト型と、逆に（黒表示）となるノーマリブラック型があり、これらは、階調データの増減に対応する白表示および黒表示の変化方向がそれぞれ異なっている。しかしながら、階調データの増加時の応答速度の方が階調データの減少時の応答速度に比べて速くなるという点では共通しており、上述した内容は、液晶パネルがノーマリホワイト型であるかノーマリブラック型であるかに関わりなく、どちらに対しても当てはまる。
【００１５】
以上のように、従来例で示したとおり、複雑な演算処理を行うことや参照データテーブルに大量のデータを格納しておくことなしに、画素データに、１フィールド前の画素データとの差分値に所定の係数を乗じた補正量を加算するだけの簡単な動作および構成によって、液晶の応答速度を改善することができる。そして特に、階調データの増加時と減少時とで異なる係数値を差分に乗算して補正量を求めるので、液晶の特性に対応して応答速度をより最適に改善することができる。
【００１６】
また、この従来例によれば、液晶の応答速度の補正の度合をユーザの好みに応じて随時、任意に変更することができ、しかも、その変更は、補正の度合を選択するだけで簡単に行うことができる。したがって、このような変更に対応するためにその都度データを書き換えたり大量のデータを予め格納しておく必要がなく、簡単な構成によって容易に補正の度合を変更することができる。
【００１７】
なお、従来例において、演算部５０に入力される差分値の符号は、階調データの増加時に正になるとして説明しているが、これは装置全体の設計に応じて変更され得るものである。また、従来例において、演算部５０では、乗算器２３には符号付きの差分値が入力され、係数Ａおよび係数Ｂには符号をもたない値が設定されるが、これも装置全体の設計に応じて変更されうるものである。例えば、乗算器２３に符号ビットを除いた差分の絶対値のみを入力し、係数Ａおよび係数Ｂに符号付きの値を設定しても構わない。
【００１８】
ここで図９を参照して、階調データを補正値によって補正した場合の動作についてより詳細に説明する。ここに、ある階調データの値をＤｘとし、このデータに対応する液晶印加電圧をＶｘとし、また、このＶｘの電圧を印加して十分安定したときの階調である液晶の状態をＳｘとする。いま、図９（ａ）に示すように、階調データがＤ１からＤ２に変化した場合（Ｄ１＜Ｄ２）、補正を行わなければ、液晶に印加される電圧は、図９（ｂ）に示すように、電圧Ｖ１から電圧Ｖ２に変化する。しかし、液晶は、電圧の変化に追従することができず、液晶の透過率は、図９（ｃ）に示すように変化する。つまり、階調データがＤ１からＤ２に変化してから数フレーム後に、液晶の状態はＳ２となる。このように、補正を行わない場合にはＳ１からＳ２になるまでに数フレーム分の応答時間が生じる。
【００１９】
ところで液晶材料は、一般に印加電圧の変化時における変化の度合が大きければ大きいほど変化速度も大きくなるという性質を有する。そこで、図９（ｅ）に示すように、階調データが変化してから１フレーム後に液晶がＳ２の状態になるような、電圧Ｖ２よりも大きな電圧Ｖ３（十分時間が経過すればＳ３の状態になる）を、階調データの変化後１フレーム間だけ印加する（図９（ｄ））。その後、印加電圧をＶ２にすれば、液晶の状態はＳ２で安定する。このように、階調データの変化時に、液晶の変化速度がより大きくなるように印加電圧を一時的に補正することにより、液晶の変化速度を増大させ、液晶の応答時間を例えば１フレームに短縮することができる。
【００２０】
【特許文献１】
特開２００１−３３１１５４号公報
【００２１】
【発明が解決しようとする課題】
しかしながら、特開２００１−３３１１５４に示されるような補正処理を行った場合、液晶の応答時間を短縮することが可能となったが、応答時間を短縮したために、ノイズの多い入力信号に対してそのまま反応し、以前よりノイズが目立つという問題が生じた。
【００２２】
それ故に、本発明の目的は、応答速度の速くなった液晶表示装置であっても、液晶の応答速度という特徴を積極的に利用して、かつ小規模な回路追加で、ノイズリダクションを実現できる液晶表示装置を提供することにあり、他の目的は、多画面表示のように複数の入力信号が表示される状況において、各々の表示領域で最適なノイズリダクションを実現する液晶表示装置を提供することである。
【００２３】
【課題を解決するための手段】
第１の発明は、入力映像信号と１フィールド前の入力映像信号との差分を求める回路と、差分に応じて複数の係数のいずれかを選択し、当該差分に当該選択された係数を乗算して第１の補正量を求める回路と、入力映像信号のノイズを検出するノイズ検出部と、ノイズ検出部の出力と第１の補正量を乗算して第２の補正量を求める回路と、入力映像信号に第２の補正量を加算して補正映像信号を求める回路と、補正映像信号に基づいて画像を表示する回路で構成する液晶表示装置である。
【００２４】
上記のように、第１の発明によれば、応答速度の速くなった液晶表示装置であっても、液晶の応答速度を上げる回路を積極的に利用して、かつ小規模な回路追加で、ノイズリダクションを実現できる。
【００２５】
第２の発明は、２つの入力映像信号を合成する多画面合成回路と、多画面合成回路の出力の１フィールド前の入力映像信号との差分を求める回路と、差分に応じて複数の係数のいずれかを選択し、当該差分に当該選択された係数を乗算して第１の補正量を求める回路と、入力映像信号のノイズを検出する多画面ノイズ検出部と、多画面ノイズ検出部の出力と第１の補正量を乗算して第２の補正量を求める回路と、多画面合成回路の出力に第２の補正量を加算して補正映像信号を求める回路と、補正映像信号に基づいて画像を表示する回路で構成する液晶表示装置である。
【００２６】
上記のように、第２の発明によれば、多画面表示のように複数の入力信号が表示される状況において、各々の表示領域で最適なノイズリダクションを実現できる。
【００２７】
【発明の実施の形態】
以下に、本発明の実施の形態について図を参照して説明する。
【００２８】
（第１の実施形態）
図１は、本発明の第１の実施形態に係る液晶表示装置の構成を示すブロック図である。図１において、１０はフィールドメモリ、５０は演算部、５１は係数決定部、１２はオーバーフロー補正部、１３は駆動部、１４は液晶パネル、１はノイズ検出部である。
【００２９】
以下、図１を参照して、本発明の第１の実施形態の液晶表示装置の動作について説明する。フィールドメモリ１０には、階調データが入力され、１フィールド前の階調データを出力する。演算部５０には、階調データとフィールドメモリ１０の出力との差分値が入力され、この差分値に応じた補正量Ａを出力する。
【００３０】
ノイズ検出部１は入力映像信号のノイズ量を検出し、ノイズに応じた値を出力する。たとえば、ノイズのないときまたは非常に少ないとき、すなわち通常は１を出力する。これにより、補正値Ａと１を乗算することになり、補正値Ａの値がそのまま、補正値Ｂとして加算器に与えられる。すなわち、ノイズが少ないとき、液晶の応答速度が速くなるように制御する。一方、ノイズが非常に多いときは０に近い値を出力する。これにより、補正値Ａは１以下の値と乗算し補正値Ｂとして加算器に与えられる。すなわち、ノイズ量に応じて、液晶の応答速度が遅くなるように制御する。
【００３１】
図２はノイズ検出部の一例を示すブロック図である。５は垂直帰線期間抜き取り部、６はノイズ量算出部、７は変換テーブルである。映像信号Ａが入力されたとき、垂直帰線期間の映像信号および文字多重信号などが重畳されていない期間を抜き取る。ノイズ量検出部６は垂直帰線期間抜き取り部５の出力からノイズ量を算出する。たとえば、ノイズ量の算出方法として、その期間の二乗和を用いる。変換テーブル７は算出されたノイズ量を０から１の値に変換し出力する。ノイズの少ない場合は１に近い値を出力し、ノイズが多い場合は０に近い値を出力する。なお、ノイズ検出部１の回路構成は図２で示した構成に限るものではない。
【００３２】
オーバーフロー補正部１２には、補正量Ｂの加算された階調データが入力され、補正量Ｂの加算によりオーバーフローが発生した（例えば、階調データの最大値を上回る、または最小値を下回る）場合には入力を補正して出力し、オーバーフローが発生しなかった場合には入力をそのまま出力する。駆動部１３は、オーバーフロー補正手段１２の出力に基づいた印加電圧によって液晶パネル１４を駆動する。液晶パネル１４は、駆動部１３の制御に基づいて画像を表示する。
【００３３】
次に、演算部５０の構成および動作について、より詳細に説明する。図５は、従来例における演算部５０の構成を示すブロック図である。図５において、演算部５０は、係数レジスタ６０と、係数レジスタ６１と、セレクタ２２と、乗算器２３とを有している。以下、演算部５０および係数決定部５１の動作について説明する。
【００３４】
演算部５０には、階調データとフィールドメモリ１０の出力との差分値が、符号付きで入力される。この差分値は、１フィールド前の階調データに対する現在の階調データの増加量を表している。係数レジスタ６０には、階調データ増加時の補正の度合を表す係数Ａが予め格納されており、係数レジスタ６１には、階調データ減少時の補正の度合を表す係数Ｂが予め格納されている。そして、セレクタ２２には、演算部５０入力された例えば９ｂｉｔの差分値から、１ビットの符号ビットだけが取り出されて入力される。そして、セレクタ２２は、この符号ビットの値に応じて、例えば“０”である場合には係数レジスタ６０を選択し、“１”である場合には係数レジスタ６１を選択して、選択した係数レジスタに予め格納されている係数を出力する。乗算器２３は、演算部５０に入力された符号付きの９ｂｉｔの差分値に、セレクタ２２の出力を乗算し、補正量Ａとして出力する。
【００３５】
また、係数決定部５１は、補正の度合をユーザに選択させ、このユーザにより選択された補正の度合に対応する２つの係数データを出力する。これら２つの係数データは、演算部５０の係数レジスタ６０および係数レジスタ６１にそれぞれ供給され、係数レジスタ６０および係数レジスタ６１に記憶される係数Ａおよび係数Ｂは、係数決定部５１から供給される係数データによって随時更新される。
【００３６】
ここで、係数Ａおよび係数Ｂについて説明する。上記のように、係数Ａは、符号ビットが“０”であるとき、つまり差分値が正であるときに差分値に乗算され、この結果が、補正量として階調データに加算される。つまり係数Ａは、階調データの増加時に、その増加量の何倍の補正量を階調データに上乗せして補正するかを表す係数である。したがって、係数Ａを０に設定すれば補正はされず、０．５に設定すれば階調データの増加量の半分の補正量が階調データに上乗せされ、１．０に設定すれば階調データの増加量に相当する補正量が階調データに上乗せされることになる。
【００３７】
一方、係数Ｂは、符号ビットが“１”であるとき、つまり差分値が負であるときに差分値に乗算され、この結果が、補正量として階調データに加算される。つまり係数Ｂは、階調データの減少時に、その減少量の何倍の補正量を階調データから差し引いて補正するのかを表す係数である。したがって、係数Ｂを０に設定すれば補正はされず、０．５に設定すれば階調データの減少量の半分の補正量が階調データから差し引かれ、１．０に設定すれば階調データの減少量に相当する補正量が階調データから差し引かれることになる。
【００３８】
ここで、階調データの増加時と減少時とで、差分値にそれぞれ異なる係数（係数Ａおよび係数Ｂ）を乗算して補正量を求めるようにしているが、この理由について説明する。液晶パネルでは、液晶に印加する電圧を変化させることにより、液晶分子の配列変化を生じさせ、その結果、液晶の透過率を変化させ、所定の階調表示を行っている。このとき、印加電圧を増加させたときには、印加された電界によって液晶分子の配列変化が生じ、一方、印加電圧を減少させたときには、分子間力によって液晶分子の配列変化が生じる。
【００３９】
ところで、一般に、印加された電界による液晶分子の配列変化の速度は、分子間力による液晶分子の配列変化の速度よりも速くなる。したがって、階調データの増加時（印加電圧の増加時）の応答速度は、階調データの減少時（印加電圧の減少時）の応答速度に比べて速くなる。このように、階調データの増加時と減少時とでは、液晶の応答速度に差があるので、上述のように、それぞれに応じて別々に係数を設定できるのが好ましい。そして一般には上述の理由により、階調データの減少時の係数Ｂを階調データの増加時の係数Ａよりも大きな値に設定するのが好ましい。
【００４０】
なお、液晶パネルには、電圧が印加されていないときに透過率が最大（白表示）となるノーマリホワイト型と、逆に（黒表示）となるノーマリブラック型があり、これらは、階調データの増減に対応する白表示および黒表示の変化方向がそれぞれ異なっている。しかしながら、階調データの増加時の応答速度の方が階調データの減少時の応答速度に比べて速くなるという点では共通しており、上述した内容は、液晶パネルがノーマリホワイト型であるかノーマリブラック型であるかに関わりなく、どちらに対しても当てはまる。
【００４１】
本発明において、ノイズが多い場合の液晶パネル１４の応答速度を図６に示す。このときの応答時間（階調を変化させたときに液晶パネル１４の光出力が変化する時間）を測定した結果を示す図である。一方、図７は、ノイズがない場合の応答時間を測定した結果を示す図である。図６と図７を比較すると、中間調において、ノイズが多い場合は９０ｍｓ、ノイズがない場合は３０ｍｓ以下の応答時間である。実際に表示画面で見ると、ノイズがない場合は応答速度が速く、動画像においてもはっきりとした高画質が実現できる。また、ノイズが多い場合は応答速度が適度に遅くなりノイズを適度に抑圧できる。
【００４２】
ここで図９を参照して、階調データを補正値によって補正した場合の動作についてより詳細に説明する。ここに、ある階調データの値をＤｘとし、このデータに対応する液晶印加電圧をＶｘとし、また、このＶｘの電圧を印加して十分安定したときの階調である液晶の状態をＳｘとする。いま、図９（ａ）に示すように、階調データがＤ１からＤ２に変化した場合（Ｄ１＜Ｄ２）、補正を行わなければ、液晶に印加される電圧は、図９（ｂ）に示すように、電圧Ｖ１から電圧Ｖ２に変化する。しかし、液晶は、電圧の変化に追従することができず、液晶の透過率は、図９（ｃ）に示すように変化する。つまり、階調データがＤ１からＤ２に変化してから数フレーム後に、液晶の状態はＳ２となる。このように、補正を行わない場合にはＳ１からＳ２になるまでに数フレーム分の応答時間が生じる。
【００４３】
ところで液晶材料は、一般に印加電圧の変化時における変化の度合が大きければ大きいほど変化速度も大きくなるという性質を有する。そこで、図９（ｅ）に示すように、階調データが変化してから１フレーム後に液晶がＳ２の状態になるような、電圧Ｖ２よりも大きな電圧Ｖ３（十分時間が経過すればＳ３の状態になる）を、階調データの変化後１フレーム間だけ印加する（図９（ｄ））。その後、印加電圧をＶ２にすれば、液晶の状態はＳ２で安定する。このように、階調データの変化時に、液晶の変化速度がより大きくなるように印加電圧を一時的に補正することにより、液晶の変化速度を増大させ、液晶の応答時間を例えば１フレームに短縮することができる。
【００４４】
以上のように、ノイズが少ない場合の液晶応答速度を改善と、ノイズが多い場合の液晶応答速度を利用したノイズリダクションとを両立することができる。
【００４５】
（第２の実施形態）
図３は、本発明の第２の実施形態に係る液晶表示装置の構成を示すブロック図である。図３は、本発明の第１の実施形態に係る液晶表示装置の構成を示すブロック図である。図３において、１０はフィールドメモリ、５０は演算部、５１は係数決定部、１２はオーバーフロー補正部、１３は駆動部、１４は液晶パネル、２は多画面ノイズ検出部である。なお、図３において、図１と同一の構成には同一の参照符号を付す。
【００４６】
図４は多画面ノイズ検出部２の一例を示すブロック図である。５、２５は垂直帰線期間抜き取り部、６、２６はノイズ量算出部、７、２７は変換テーブル、２８は表示用同期、クロック再生部、２９は画面切り替え信号発生部である。図４において、図２と同一の構成には同一の参照符号を付す。
【００４７】
以下、第２の実施形態の動作について説明する。ただし、第２の実施形態が第１の実施形態と異なる点は、多画面ノイズ検出部２の内部構成のみであり、他の同一の構成についての詳しい説明は省略する。
【００４８】
ここで、説明を簡単にするために図１０で示すような２画面表示の場合について説明する。垂直帰線期間抜き取り部５は映像信号Ａが入力されたとき、垂直帰線期間の映像信号および文字多重信号などが重畳されていない期間を抜き取る。垂直帰線期間抜き取り部２５は映像信号Ｂが入力されたとき、垂直帰線期間の映像信号および文字多重信号などが重畳されていない期間を抜き取る。ノイズ量検出部６は垂直帰線期間抜き取り部５の出力からノイズ量を算出する。ノイズ量検出部２６は垂直帰線期間抜き取り部２５の出力からノイズ量を算出する。たとえば、ノイズ量の算出方法として、その期間の二乗和を用いる。変換テーブル７は算出されたノイズ量を０から１の値に変換し出力する。変換テーブル２７は算出されたノイズ量を０から１の値に変換し出力する。ノイズの少ない場合は１に近い値を出力し、ノイズが多い場合は０に近い値を出力する。セレクタ３０は変換テーブル７と変換テーブル２７の出力を画面表示切り替え信号発生部の出力に応じて切り替えて出力する。表示用同期、クロック発生回路２８は、液晶パネル１４の表示に同期した、水平同期信号ＨＤ、垂直同期信号ＶＤ、クロックパルスＣＫを発生する。画面切り替え信号発生部２９は表示用同期、クロック発生回路２８の出力を元に切り替え信号を出力する。
【００４９】
たとえば、図１０で示される２画面の場合、映像信号Ａの期間は０を出力し、映像信号Ｂの期間は１を出力する。このようにして、多画面ノイズ検出部２は映像信号Ａ、Ｂのノイズ量に応じた信号を選択して出力する。
【００５０】
なお、多画面ノイズ検出部２の回路構成は図４で示した構成に限るものではない。
【００５１】
以上のように、多画面表示する液晶表示装置において、ノイズが少ない信号の画面には液晶応答速度を改善し、ノイズが多い信号の画面には液晶応答速度を利用したノイズリダクションを行うことにより、最適な視聴状態を提供できる。
【００５２】
【発明の効果】
以上のように、本発明によれば、ノイズが少ない場合の液晶応答速度改善と、ノイズが多い場合の液晶応答速度を利用したノイズリダクションとを両立することができる。
【００５３】
また、多画面表示する液晶表示装置において、ノイズが少ない信号の画面には液晶応答速度を改善し、ノイズが多い信号の画面には液晶応答速度を利用したノイズリダクションを行うことにより、最適な視聴状態を提供できる。
【図面の簡単な説明】
【図１】本発明の第１の実施形態に係る液晶表示装置の構成を示すブロック図
【図２】本発明の第１の実施形態におけるノイズ検出部１の構成を示すブロック図
【図３】本発明の第２の実施形態に係る液晶表示装置の構成を示すブロック図
【図４】本発明の第１の実施形態における多画面ノイズ検出部２の構成を示すブロック図
【図５】従来の液晶表示装置における演算部５０の構成を示すブロック図
【図６】第１の実施形態において、ノイズが多い場合の液晶パネル１４の応答時間を測定した結果を示す図
【図７】第１の実施形態において、ノイズがない場合の液晶パネル１４の応答時間を測定した結果を示す図
【図８】従来の液晶表示装置の構成を示すブロック図
【図９】従来の液晶表示装置における液晶応答速度の補正アルゴリズムを示す図
【図１０】２画面を表示した場合の表示画面イメージ図
【符号の説明】
１  ノイズ検出部
５、２５  垂直帰線期間抜き取り部
６、２６  ノイズ量算出部
７、２７  変換テーブル
１０  フィールドメモリ
１２  オーバーフロー補正部
１３  駆動部
１４  液晶パネル
２８  表示用同期クロック再生部
２９  画面切り替え信号発生部
３０  セレクタ
５０  演算部
５１  係数決定部
【図１】
2004246118.tif 000003
【図２】
2004246118.tif 000004
【図３】
2004246118.tif 000005
【図４】
2004246118.tif 000006
【図５】
2004246118.tif 000007
【図６】
2004246118.tif 000008
【図７】
2004246118.tif 000009
【図８】
2004246118.tif 000010
【図９】
2004246118.tif 000011
【図１０】
2004246118.tif 000012